(57)【要約】  本発明の実施形態は、ＰＳＮトンネルが静的に構成されたセグメントと動的に構成されたセグメントの両方を含むときに、擬似ワイヤがそのＰＳＮトンネルを介して動的に確立されることを可能にする。有利には、これらの実施形態は、静的トンネルおよび擬似ワイヤ構成のみをサポートするネットワークノードが動的に構成された擬似ワイヤに含まれることを可能にする。
2011528524.tif 000002
【特許請求の範囲】
【請求項１】
パケット交換網内の２つのプロバイダエッジシステムの間に擬似ワイヤを確立する方法であって、
擬似ワイヤのトンネルに沿った中間システムで、
第１のプロバイダエッジシステムからトンネル内で運ばれるメッセージを受信するステップと、
擬似ワイヤを確立するためのパラメータを含む、メッセージへの応答を起動するステップと、
その応答を第１のプロバイダエッジシステムに送信するステップと
を含む、方法。
【請求項２】
中間システムが、そのトンネルの静的に構成されたセグメントとそのトンネルの動的に構成されたセグメントの間の接点にあり、方法がさらに
その動的に構成されたセグメントからメッセージを受信するステップと、
その動的に構成されたセグメントを介して応答を送信するステップと
を含む、請求項１に記載の方法。
【請求項３】
そのメッセージがパラメータを含み、方法がさらに
メッセージからパラメータを読み取るステップと、
そのパラメータを使用して応答を形成するステップと、
そのパラメータを動的に構成されたセグメントに関連付けられた入力テーブルに格納するステップと、
そのパラメータを入力テーブルからその動的に構成されたセグメントに関連付けられた出力テーブルにコピーするステップとを含み、その入力および出力テーブルが同一転送クラステーブルであって、マルチプロトコルラベルスイッチングラベル配布プロトコルを使用してトンネルの動的に構成されたセグメントを介してメッセージが受信され、応答が送信される、請求項２に記載の方法。
【請求項４】
そのパラメータが、２つのプロバイダエッジシステムのうちの第２のプロバイダエッジシステムで構成され、トンネルの静的に構成されたセグメントに関連付けられ、中間システムで局所的に格納され、方法がさらに
中間システムで局所記憶装置からパラメータを読み取るステップと、
そのパラメータを使用して応答を形成するステップとを含み、マルチプロトコルラベルスイッチングラベル配布プロトコルを使用してトンネルの動的に構成されたセグメントを介してメッセージが受信され、応答が送信される、請求項２に記載の方法。
【請求項５】
その中間システムがラベルスイッチルータである、請求項１に記載の方法。
【請求項６】
パケット交換網の２つのプロバイダエッジ（ＰＥ）システムの間で擬似ワイヤによって使用されるトンネル接続を介してデータパケットを伝達するネットワークノードであって、
擬似ワイヤを確立するためのメッセージを受信するための手段と、
そのネットワークノードがトンネル接続の静的に構成されたセグメントと動的に構成されたセグメントの接点にあるかどうかを判定するための手段と、
ネットワークノードがその接点にあるという判定に応答してメッセージへの応答を起動するための手段と
を備える、ネットワークノード。
【請求項７】
その起動するための手段が、擬似ワイヤを確立するためのパラメータをそこに含むことによって応答を形成し、その応答を動的に構成されたセグメントを介して第１のＰＥシステムに送信する、請求項６に記載のネットワークノード。
【請求項８】
その受信するための手段がメッセージからパラメータを読み取るように動作可能であり、ネットワークノードがさらに
動的に構成されたセグメントに関連付けられた入力テーブルと、
動的に構成されたセグメントに関連付けられた出力テーブルとを備え、その受信するための手段がパラメータを入力テーブルに格納し、その起動するための手段が応答を形成してパラメータを入力テーブルから出力テーブルにコピーし、その入力および出力テーブルが同一転送クラステーブルであり、その受信するための手段および起動するための手段がそれぞれマルチプロトコルラベルスイッチングラベル配布プロトコルを使用して動的に構成されたセグメントを介してメッセージを受信し、応答を送信する、請求項７に記載のネットワークノード。
【請求項９】
そのパラメータが２つのＰＥシステムのうちの第２のＰＥシステムで構成され、トンネルの静的に構成されたセグメントに関連付けられ、ネットワークノードがさらに
パラメータを格納するための記憶手段をさらに備え、その起動するための手段がさらに記憶手段からパラメータを読み取るように動作可能であり、その受信するための手段および起動するための手段がそれぞれマルチプロトコルラベルスイッチングラベル配布プロトコルを使用して動的に構成されたセグメントを介してメッセージを受信し、応答を送信する、請求項７に記載のネットワークノード。
【請求項１０】
その判定するための手段が、静的に構成されたセグメントに関連付けられ、ネットワークノード上にプロビジョニングされた第１のサービス配布点（ＳＤＰ）を動的に構成されたセグメントに関連付けられ、ネットワークノード上にプロビジョニングされた第２のＳＤＰと比較するための手段を備え、そのネットワークノードがラベルスイッチルータであり、その第１のＳＤＰが静的ラベルに割り当てられ、その第２のＳＤＰがラベル配布プロトコル（ＬＤＰ）ラベル通知シグナリングに割り当てられた、請求項９に記載のネットワークノード。
【発明の詳細な説明】
【技術分野】
【０００１】
本発明は通信ネットワークを対象とし、特に、静的に構成されたおよび動的に構成されたセグメントをもつトンネル接続を使用する擬似ワイヤ（ｐｓｅｕｄｏ  ｗｉｒｅ、ＰＷ）のセットアップを対象とする。
【背景技術】
【０００２】
擬似ワイヤは、有線接続をエミュレートするトランスペアレントな方式でパケット交換網を介して固有の電気通信サービス（Ｔ１専用回線、フレームリレー、イーサネット（登録商標）など）を運ぶための機構である。通常は、ＰＳＮは、インターネットプロトコル（ＩＰ）またはマルチプロトコルラベルスイッチング（ＭＰＬＳ）パケット転送を使用する。固有のサービスのプロトコルデータ単位（ＰＤＵ）が、２つの顧客エッジ（ＣＥ）システムの間で通信され、各ＣＥシステムが固有のサービスを開始および／または終了する。通常は、ＣＥシステムは、擬似ワイヤによって運ばれる固有のサービスを使用して双方向通信を行う。
【０００３】
各ＣＥシステムは、接続回線によってそれぞれのプロバイダエッジ（ＰＥ）システムに接続される。擬似ワイヤは、ＰＳＮを介して確立されるトンネル接続を介してＰＥシステムの間に提供される。トンネル接続はまた、本明細書において、ＰＳＮトンネルまたはトンネルとも称される。様々なタイプのＰＳＮトンネルが、レイヤ２トンネリングプロトコル（Ｌ２ＴＰ）、ＭＰＬＳラベル配布プロトコル（ＬＤＰ）、および資源予約プロトコル−トラフィックエンジニアリング（ＲＳＶＰ−ＴＥ）などの、トンネルシグナリングを使用して確立されるものとして、使用されることができる。ＰＷ／ＰＥメンテナンスシグナリングが、擬似ワイヤを確立し、維持し、壊すために、ならびに擬似ワイヤのエンドポイントに関する任意のパラメータを調整するために使用される。トンネルシグナリングプロトコルは、ＰＥシステムが擬似ワイヤをセットアップするために必要なすべての情報を交換することを可能にする機構を提供するために拡張されることができる。擬似ワイヤはまた、手動で構成されることができる。
【０００４】
作動中、固有のサービスＰＤＵが、接続回線を介して発信ＣＥシステムからＰＥシステムによって受け取られる。固有のサービスＰＤＵは、カプセル化されてＰＷ−ＰＤＵを形成し、そのＰＷ−ＰＤＵは次に、２つのＰＥシステムの間の擬似ワイヤを介してピアＰＥシステムに送られる。ピアＰＥシステムはＰＷ−ＰＤＵを受信し、ＰＷ−ＰＤＵのカプセル除去を行って固有のサービスＰＤＵを生じ、次にその固有のサービスＰＤＵを対応する接続回線を介して終端ＣＥシステムに送信する。
【０００５】
擬似ワイヤについてのさらに詳しい情報は、参照により本明細書に組み込む、「Ｐｓｅｕｄｏ  Ｗｉｒｅ  Ｅｍｕｌａｔｉｏｎ  Ｅｄｇｅ−ｔｏ−Ｅｄｇｅ（ＰＷＥ３）Ａｒｃｈｉｔｅｃｔｕｒｅ」、ＲＦＣ３９８５、ＩＥＴＦ、２００５年３月、Ｓ．ＢｒｙａｎｔおよびＰ．Ｐａｔｅで知ることができる。
【０００６】
既に述べたとおり、擬似ワイヤは、ＰＳＮを介して様々な固有の電気通信サービスを運ぶために有用である。利用が増大しているかかるサービスの１つは、パケット交換網を介した回線エミュレーションサービス（ＣＥＳ）である（Ｃｉｒｃｕｉｔ  Ｅｍｕｌａｔｉｏｎ  Ｓｅｒｖｉｃｅ  ｏｖｅｒ  ａ  ｐａｃｋｅｔ  ｓｗｉｔｃｈｉｎｇ  ｎｅｔｗｏｒｋ、ＣＥＳｏＰＳＮ）。事業者は、時分割多重（ＴＤＭ）回線をＣＥＳｏＰＳＮに移行することによってコスト削減を実現することができる。擬似ワイヤを介した構造化された（即ち、Ｎ  ｘ  ＤＳ０）ＴＤＭ信号の搬送について詳しくは、その開示を参照により本明細書に組み込む、「Ｓｔｒｕｃｔｕｒｅ−Ａｗａｒｅ  Ｔｉｍｅ  Ｄｉｖｉｓｉｏｎ  Ｍｕｌｔｉｐｌｅｘ（ＴＤＭ）Ｃｉｒｃｕｉｔ  Ｅｍｕｌａｔｉｏｎ  Ｓｅｒｖｉｃｅ  ｏｖｅｒ  Ｐａｃｋｅｔ  Ｓｗｉｔｃｈｅｄ  Ｎｅｔｗｏｒｋ（ＣＥＳｏＰＳＮ）」、ＲＦＣ５０８６、ＩＥＴＦ、２００７年１２月、Ａ．Ｖａｉｎｓｈｔｅｉｎらを参照されたい。擬似ワイヤ上での構造にとらわれないＴＤＭ信号の搬送について詳しくは、その開示を参照により本明細書に組み込む、「Ｓｔｒｕｃｔｕｒｅ−Ａｇｎｏｓｔｉｃ  Ｔｉｍｅ  Ｄｉｖｉｓｉｏｎ  Ｍｕｌｔｉｐｌｅｘｉｎｇ（ＴＤＭ）ｏｖｅｒ  Ｐａｃｋｅｔ（ＳＡＴｏＰ）」、ＲＦＣ４５５３、ＩＥＴＦ、２００６年６月、Ａ．ＶａｉｎｓｈｔｅｉｎおよびＹ．Ｊ．Ｓｔｅｉｎを参照されたい。
【０００７】
前述のように、擬似ワイヤは静的にまたは動的に構成されることができ、後者は、ＰＥシステムの管理プレーンからのオペレータコマンドによって、接続回線のセットアップまたは分解を信号で伝えることによって、或いは自動発見機構によってトリガされることができる。セットアップ工程中、ＰＥシステムは、セットアップされているそれらの擬似ワイヤのそれぞれのエンドポイントに関するパラメータを交換する。この交換は、擬似ワイヤのためにＰＳＮを介してトンネルを確立するために使用されるトンネルシグナリングプロトコルへの拡張を使用して実行されることができる。ＭＰＬＳネットワークを介したＴＤＭ擬似ワイヤに関して、これらの拡張、使用、および要件についてさらに詳しくは、その開示を参照により本明細書に組み込む、ＩＥＴＦ提案の標準「Ｃｏｎｔｒｏｌ  Ｐｒｏｔｏｃｏｌ  Ｅｘｔｅｎｓｉｏｎｓ  ｆｏｒ  Ｓｅｔｕｐ  ｏｆ  ＴＤＭ  Ｐｓｅｕｄｏｗｉｒｅｓ  ｉｎ  ＭＰＬＳ  Ｎｅｔｗｏｒｋｓ」、ｄｒａｆｔ−ｉｅｔｆ−ｐｗｅ３−ｔｄｍ−ｃｏｎｔｒｏｌ−ｐｒｏｔｏｃｏｌ−ｅｘｔｅｎｓｉ−０７．ｔｘｔ、ＩＥＴＦ、２００８年３月、Ａ．ＶａｉｎｓｈｔｅｉｎおよびＹ．Ｊ．Ｓｔｅｉｎで見ることができる。しかし、この提案された標準は、擬似ワイヤがピアＰＥシステム間で無事確立されるためにピアＰＥシステムによって交換されるかかるパラメータのうちのいくつかが一致することを必要とするので、擬似ワイヤに使用されるＰＳＮトンネルの少なくとも１つのセグメントが静的に構成され、もう１つのセグメントが動的に構成されるときに、問題が生じる。
【０００８】
ＴＤＭ擬似ワイヤに使用されるＰＳＮトンネルのすべてのセグメントが、たとえばＭＰＬＳ  ＬＤＰを使用して、動的に構成されるとき、ＴＤＭ擬似ワイヤのためのインタフェースパラメータは、前述の提案された標準に記載された拡張を使用してピアＰＥシステムの間で交換されることができる。ＣＥＰ／ＴＤＭペイロードバイト、ＣＥＰ／ＴＤＭビットレート、およびある種のＴＤＭオプションなどのこれらの交換されるパラメータのうちのいくつかが、擬似ワイヤが無事に確立されるために、一致しなければならない。これらのパラメータが交換されるために、ピアＰＥシステムのうちの１つがパラメータを含むラベルメッセージを他方のピアＰＥシステムに送信する。ピアＰＥシステム間の経路内の各中間ラベルスイッチルータ（ＬＳＲ）は、そのＬＳＲの入口サービス配布点（ＳＤＰ）での入力同一転送クラス（ＦＥＣ）テーブルからのパラメータをそのＬＳＲの出口ＳＤＰでの出力ＦＥＣにコピーし、その後、ＬＳＲはそのパラメータを含むラベルメッセージを、経路に沿った次のＬＳＲまたは他方のピアＰＥシステムに転送する。この方式では、１つのピアＰＥシステムが他方のピアＰＥシステムからパラメータを受信し、それによって、受信されたパラメータと局所的に構成されたパラメータとの比較がそのＰＥシステムによって行われることが可能になり、逆もまた同様である。しかし、ＰＳＮトンネルのセグメントが静的に構成されるとき、その静的に構成されたセグメントのＳＤＰに関連付けられた入力および出力ＦＥＣテーブルは存在せず、これがＰＥシステム間のパラメータ交換の機能停止を引き起こす。この機能停止は、擬似ワイヤによって使用されるＰＳＮトンネルのセグメントが静的に構成されるとき、擬似ワイヤ、たとえばＴＤＭ擬似ワイヤを動的に確立することができないことという結果をもたらす。
【先行技術文献】
【非特許文献】
【０００９】
【非特許文献１】「Ｐｓｅｕｄｏ  Ｗｉｒｅ  Ｅｍｕｌａｔｉｏｎ  Ｅｄｇｅ−ｔｏ−Ｅｄｇｅ（ＰＷＥ３）Ａｒｃｈｉｔｅｃｔｕｒｅ」、ＲＦＣ３９８５、ＩＥＴＦ、２００５年３月、Ｓ．ＢｒｙａｎｔおよびＰ．Ｐａｔｅ
【非特許文献２】「Ｓｔｒｕｃｔｕｒｅ−Ａｗａｒｅ  Ｔｉｍｅ  Ｄｉｖｉｓｉｏｎ  Ｍｕｌｔｉｐｌｅｘ（ＴＤＭ）Ｃｉｒｃｕｉｔ  Ｅｍｕｌａｔｉｏｎ  Ｓｅｒｖｉｃｅ  ｏｖｅｒ  Ｐａｃｋｅｔ  Ｓｗｉｔｃｈｅｄ  Ｎｅｔｗｏｒｋ（ＣＥＳｏＰＳＮ）」、ＲＦＣ５０８６、ＩＥＴＦ、２００７年１２月、Ａ．Ｖａｉｎｓｈｔｅｉｎら
【非特許文献３】「Ｓｔｒｕｃｔｕｒｅ−Ａｇｎｏｓｔｉｃ  Ｔｉｍｅ  Ｄｉｖｉｓｉｏｎ  Ｍｕｌｔｉｐｌｅｘｉｎｇ（ＴＤＭ）ｏｖｅｒ  Ｐａｃｋｅｔ（ＳＡＴｏＰ）」、ＲＦＣ４５５３、ＩＥＴＦ、２００６年６月、Ａ．ＶａｉｎｓｈｔｅｉｎおよびＹ．Ｊ．Ｓｔｅｉｎ
【非特許文献４】「Ｃｏｎｔｒｏｌ  Ｐｒｏｔｏｃｏｌ  Ｅｘｔｅｎｓｉｏｎｓ  ｆｏｒ  Ｓｅｔｕｐ  ｏｆ  ＴＤＭ  Ｐｓｅｕｄｏｗｉｒｅｓ  ｉｎ  ＭＰＬＳ  Ｎｅｔｗｏｒｋｓ」、ｄｒａｆｔ−ｉｅｔｆ−ｐｗｅ３−ｔｄｍ−ｃｏｎｔｒｏｌ−ｐｒｏｔｏｃｏｌ−ｅｘｔｅｎｓｉ−０７．ｔｘｔ、ＩＥＴＦ、２００８年３月、Ａ．ＶａｉｎｓｈｔｅｉｎおよびＹ．Ｊ．Ｓｔｅｉｎ
【発明の概要】
【発明が解決しようとする課題】
【００１０】
擬似ワイヤに使用されるＰＳＮトンネルの少なくとも１つのセグメントが静的に供給される場合に、擬似ワイヤを動的に確立するための解決策が必要とされている。
【課題を解決するための手段】
【００１１】
本発明の実施形態は、ＰＳＮトンネルが静的に構成されたセグメントと動的に構成されたセグメントの両方を含むときに、擬似ワイヤがそのトンネルを介して動的に確立されることを可能にする。
【００１２】
本発明の一態様では、パケット交換網内の２つのＰＥシステム間に擬似ワイヤを確立する方法が提供される。本方法は、擬似ワイヤによって使用されるトンネル接続に沿った中間システムで実行されることになろう。本方法は、第１のＰＥシステムからトンネル内で運ばれるメッセージを受信するステップと、そのメッセージに対して擬似ワイヤを確立するためのパラメータを含む応答を起動するステップと、その応答を第１のＰＥシステムに送信するステップとを含む。
【００１３】
本発明のいくつかの実施形態では、中間ノードはトンネル接続の静的に構成されたセグメントとトンネル接続の動的に構成されたセグメントの間の接点にある。通常はこのとおりになろうが、接点が存在するまたはそう構成されていると中間ネットワークノードが判定する限りにおいてそのノードがかかる接点にないとき、および動的に構成されたセグメントを介してメッセージが受け取られ、動的に構成されたセグメントを介してその応答が送信される限り、その中間ネットワークノードが本発明の実施形態を実行することが可能である。
【００１４】
本発明のもう１つの態様によれば、ネットワークノードが、パケット交換網の２つのＰＥシステム間で擬似ワイヤによって使用されるトンネル接続を介してデータパケットを通信するために提供される。このネットワークノードは、擬似ワイヤを確立するためのメッセージを受信するための手段と、そのネットワークノードがトンネル接続の静的に構成されたセグメントと動的に構成されたセグメントの接点にあるかどうかを判定するための手段と、ネットワークノードがその接点にあるという判定に応答してそのメッセージへの応答を起動するための手段とを含む。
【００１５】
本発明のいくつかの実施形態では、起動するための手段は、擬似ワイヤを確立するためのパラメータをその中に含むことによって応答を形成するために、および、動的に構成されたセグメントを介して第１のＰＥシステムにその応答を送信するように動作可能である。
【００１６】
有利には、本発明の実施形態は、静的な、動的ではない、トンネルおよび擬似ワイヤ構成のみをサポートするネットワークノードが動的に構成された擬似ワイヤに含まれることを可能にする。この能力は、かかる動的な構成に必要とされる機能がコストまたはシステム性能の理由でネットワークノードから省かれた場合に有用となり得る。動的に構成された擬似ワイヤまたはその部分は、たとえばＭＰＬＳ高速リルートを使用して故障中のノードまたはリンクの周りで別のルートに変更するなど、ネットワーク障害に対応できるという点で、静的に構成された擬似ワイヤよりも有利である。
【００１７】
本発明は、以下の図面を参照して、下記の詳細な説明からさらに理解されるであろう。
【図面の簡単な説明】
【００１８】
【図１】擬似ワイヤを確立する本発明の実施形態によるネットワークノードを図示したネットワークの図である。
【図２】本発明のもう１つの実施形態による擬似ワイヤを確立する方法の流れ図である。
【発明を実施するための形態】
【００１９】
接続の図面では、同等の特徴が同様のラベルをもつことに留意されたい。
【００２０】
図１を参照すると、この場合にはＭＰＬＳネットワークであるパケット交換網（ＰＳＮ）１０が、第１の顧客エッジ（ＣＥ）システム１２と第２のＣＥシステム１４の間で回線エミュレーションサービス（ＣＥＳ）を提供する。第１のＣＥシステムは、第１の接続回線１８、この場合にはＴＤＭ回線を介して第１のプロバイダエッジ（ＰＥ）システム１６に接続される。第２のＣＥシステム１４は、これもまたＴＤＭ回線である第２の接続回線２２を介して第２のＰＥシステム２０に接続される。第１のＰＥシステム１６および第２のＰＥシステム２０は、ラベルスイッチルータである。ＰＥシステム１６と２０の間に構成されたＴＤＭ擬似ワイヤ２４は、固有の電気通信サービス、たとえばＴ１専用回線をパケット交換網を介して提供する。従来技術を参照して前述したように、ＰＥシステム１６、２０は、ＣＥシステム１２、１４にトランスペアレントな方式でＴＤＭ擬似ワイヤを介して固有の電気通信サービスのプロトコルデータ単位（ＰＤＵ）を伝達するために、カプセル化、カプセル除去、タイミングおよび順序付け機能を提供する。この目的のために、トンネル２６は、ＰＥシステム１６、２０の間に構成される。前述のように、様々なタイプのトンネルが、Ｌ２ＴＰ、ＭＰＬＳ  ＬＤＰ、およびＲＳＶＰ−ＴＥなどの様々なトンネルシグナリングプロトコルを使用して動的に使用されることができ、構成されることができる。さらに、トンネル２６全体またはそのセグメントは、静的に構成されることができる。
【００２１】
第１のＰＥシステム１６は、ＣＥＳおよび第１の接続回線１８に関連付けられた第１のサービスアクセスポイント（ＳＡＰ）２８を含む。第１のＰＥシステム１６は、それを通してＣＥＳのＰＤＵがトンネル２６の静的に構成されたセグメント３４を通して転送される、第１の経路３２を介してネットワークノード３０に通信可能に結合される。ネットワークノード３０は、ラベルスイッチルータである。図示されていないが、複数のネットワークノードが第１の経路３２内に存在し得る。一般に、第１のＰＥシステム１６と第２のＰＥシステム２０の間のトンネル２６内の任意のネットワークノードは、本明細書において、トンネル２６の中間システムと称される。この用語は、ネットワークノード３０を含む。
【００２２】
第１のＰＥシステム１６は、その上に構成された第１の接続回線１８に関連付けられた第１のパラメータＰＰＥ１をもつ。第１のパラメータＰＰＥ１は、第１の接続回線１８上で運ばれるＴＤＭ回線に関する値を指定する。かかるパラメータは１つだけ示されているが、それはいくつか存在し得る。たとえば、第１のパラメータＰＰＥ１は、ＣＥＰ／ＴＤＭペイロードバイト、ＣＥＰ／ＴＤＭビットレート、およびＴＤＭ擬似ワイヤを確立するときに指定されるある種のＴＤＭオプションなどの前述のパラメータのうちのいずれかでもよい。
【００２３】
第２のＰＥシステム２０は、ＣＥＳおよび第２の接続回線２２に関連付けられた第２のサービスアクセスポイント（ＳＡＰ）３６を含む。第２のＰＥシステム２０は、それを通してＣＥＳのＰＤＵがトンネル２６の動的に構成されたセグメント４０を通して転送される第２の経路３８を介してネットワークノード３０に通信可能に結合される。図示されていないが、複数のネットワークノードが第２の経路３８内に存在し得る。
【００２４】
第２のＰＥシステム２０は、その上に構成された、第２の接続回線２２に関連付けられた第２のパラメータＰＰＥ２をもつ。第２のパラメータＰＰＥ２は、第２の接続回線２２上で運ばれるＴＤＭ回線に関する値を指定する。かかるパラメータは１つだけ示されているが、それはいくつか存在し得る。たとえば、第２のパラメータＰＰＥ２は、ＣＥＰ／ＴＤＭペイロードバイト、ＣＥＰ／ＴＤＭビットレート、およびＴＤＭ擬似ワイヤを確立するときに指定されるある種のＴＤＭオプションなどの前述のパラメータのうちのいずれかでもよい。
【００２５】
静的に構成されたセグメント３４に関連付けられた第１のサービス配布点（ＳＤＰ）４２は、第１のＰＥシステム１６内に構成される。静的に構成されたセグメント３４に同様に関連付けられた第２のＳＤＰ４４は、ネットワークノード３０内に構成される。第１のＳＤＰ４２および第２のＳＤＰ４４は、静的ラベルに割り当てられ、したがって、それらはＬＤＰラベル通知シグナリングに関与しない。
【００２６】
動的に構成されたセグメント４０に関連付けられた第３のＳＤＰ４６は、ネットワークノード３０内に構成される。動的に構成されたセグメント４０に同様に関連付けられた第４のＳＤＰ４８は、第２のＰＥシステム２０内に構成される。第３のＳＤＰ４６および第４のＳＤＰ４８は、動的ラベルに割り当てられ、したがって、それらはＬＤＰラベル通知シグナリングに関与する。
【００２７】
ネットワークノード３０は、他の機能のうちでも特に、ＰＤＵ上でラベルスイッチルーティングを実行するために制御プログラム５２を実行する制御プロセッサ５０を含む。制御プロセッサ５０および制御プログラム５２は、本明細書において、本発明の説明を簡単にするために一般的な意味で参照される。実際には、制御プロセッサ５０は通常は、冗長性のために少なくとも２つある制御カードの部分になろう。制御プログラム５２は通常は、完全な冗長性のための冗長制御カードのそれぞれで同時に実行されるいくつかのモジュールまたはプログラムを含むことになろう。ネットワークノード３０によって提供されるいくつかの機能は、図中には示されていないラインカードなどの他の回線カード上で提供される。
【００２８】
ネットワークノード３０は、静的に構成されたセグメント３４と動的に構成されたセグメント４０の間の接点にある。トンネル２６内のこの位置設定は、第２のＳＤＰ４４の、即ち静的ラベルへの割当てを、第３のＳＤＰ４６の、即ち動的ラベルへの割当てと比較することによってネットワークノード３０によって判定されることができる。ネットワークノード３０がこの判定を行うことを可能にするもう１つの方法は、ネットワークノード３０内のかかる位置設定の指示を構成することである。制御プログラム５２のある特定の命令を実行する制御プロセッサ５０は、ネットワークノード３０がかかる接点にあるという判定を行う手段を提供する。これは、前述の指示をチェックすることによって、または前述のように第２のＳＤＰ４４および第３のＳＤＰ４６の割当てを比較することによって、行われることができよう。
【００２９】
擬似ワイヤ２４を動的に確立するために、第２のＰＥシステム２０は、第２のパラメータＰＰＥ２を含むラベルメッセージＭを動的セグメント４０を介してネットワークノード３０に送信する。ラベルメッセージＭは、ＬＤＰラベル通知シグナリングに従う。ネットワークノード３０は、メッセージＭを受信し、そこに含まれる第２のパラメータＰＰＥ２を読む手段を含む。これらの受信する手段は通常は、制御プロセッサ５０および制御プログラム５２によって提供されるハードウェアおよび特定のソフトウェア命令と第２の経路３８を介して着信するＰＤＵを受信するように動作可能な受信機５４との組合せとなろう。受信機５４は通常は、ネットワークノード３０のラインカード（図示せず）上に実装されることになろう。ネットワークノード３０は次に、第３のＳＤＰ４６および動的に構成されたセグメント４０に関連付けられた入力ＦＥＣテーブル５８内に第２のパラメータＰＰＥ２を格納する。
【００３０】
擬似ワイヤ２４の確立を完了するために、第２のＰＥシステム２０は、メッセージＭへの応答Ｒを必要とする。応答Ｒは、擬似ワイヤ２４に関する１つまたは複数のパラメータを含まなければならない。応答Ｒは、ＬＤＰラベル通知シグナリングに従う。ＴＤＭ擬似ワイヤの場合、応答Ｒ内のある特定のパラメータが、メッセージＭで送信されるパラメータと一致しなければならない。かかるパラメータの例は前述されている。通常は、それを介して擬似ワイヤが運搬されることになるトンネル全体が動的に構成されるとき、応答Ｒが第１のＰＥシステム１６で起動される。しかし、本実施形態では、トンネル２６は静的セグメント３４を含むので、メッセージＭは第１のＰＥシステム１６に引き渡されない。したがって、応答Ｒは第１のＰＥシステム１６から起動されることができない。
【００３１】
メッセージＭに応答することを目的として、ネットワークノード３０は、応答Ｒを起動するための手段を含む。これらの手段は、ネットワークノード３０でのメッセージＭの受信ならびにネットワークノード３０がそれが静的セグメント３４と動的セグメント４０の間の接点にあると判定することに応答して、使用される。これらの起動手段は通常は、制御プロセッサ５０および制御プログラム５２によって提供されるハードウェアおよび特定のソフトウェア命令と、第２の経路３８を介して応答Ｒを含むＰＤＵを送信するように動作可能な送信機５６との組合せとなろう。送信機５６は通常は、ネットワークノード３０のラインカード（図示せず）上に実装されることになろう。
【００３２】
応答Ｒは、擬似ワイヤ２４を確立するための１つまたは複数のパラメータを含む。ＴＤＭ擬似ワイヤについて前述したように、第２のＰＥシステム２０によって送信されるある特定のパラメータが、第２のＰＥシステムが擬似ワイヤ２４を確立するために応答Ｒで第２のＰＥシステム２０によって受信される対応するパラメータと一致しなければならない。ここで説明する実施形態では、説明を簡単にするためにメッセージＭにおよび応答Ｒに含まれるものとしてかかるパラメータは１つだけ記述されているが、このパラメータが同様に複数のかかるパラメータのセットを表し得ることを理解されたい。
【００３３】
ネットワークノード３０は、第３のＳＤＰ４６および動的に構成されたセグメント４０と関連付けられた出力ＦＥＣテーブル６０を含む。出力ＦＥＣテーブル６０は、とりわけ、第２のパラメータＰＰＥ２を格納する能力をもつ。制御プログラム５２内の特定のソフトウェア命令を実行する制御プロセッサ５０は、第２のパラメータＰＰＥ２を入力ＦＥＣテーブル５８から出力ＦＥＣテーブル６０にコピーする能力をもつ。このコピーは、ネットワークノード３０がそれが静的セグメント３４と動的セグメント４０の接点にあると判定することに応答して、そしてまたネットワークノード３０がどのように構成されているかに応じて、実行されることになろう。このコピー機能は、前述の起動手段の部分と考えられることになろう。
【００３４】
ネットワークノード３０はまた、とりわけ第１のパラメータＰＰＥ１を格納するために使用されることができる記憶装置６２も含む。たとえば、第１のパラメータＰＰＥ１は、静的セグメント３４の構成中またはその後に、記憶装置６２に書き込まれることができる。
【００３５】
ネットワークノード３０は、そのネットワークノード３０がどのように構成されているかに応じて、記憶装置６２から読み込まれた第１のパラメータＰＰＥ１または入力ＦＥＣ５８から読み込まれた第２のパラメータＰＰＥ２のいずれかをそこに含むことによって応答Ｒを形成する。即ち、ネットワークノード３０は、第２のパラメータＰＰＥ２を入力ＦＥＣ５８から出力ＦＥＣ６０にコピーし、第２のパラメータＰＰＥ２を応答Ｒに含むように構成されるか、或いは、記憶装置６２から第１のパラメータＰＰＥ１を読み取り、応答Ｒに第１のパラメータＰＰＥ１を含むように構成される。いずれの場合にも、ネットワークノード３０は、それが静的セグメント３４と動的セグメント４０の間の接点にあると判定した後に、応答Ｒを形成することおよび送信することを含んで、応答Ｒを起動する。応答Ｒを形成および送信する機能は、前述の起動手段の部分と考えられる。
【００３６】
応答Ｒを受信したとき、第２のＰＥシステム２０は、そこに含まれるパラメータを局所的に格納された第２のパラメータＰＰＥ２と比較する。その２つのパラメータが一致する場合、ＴＤＭ擬似ワイヤ２４の確立は完了し、ＣＥＳが使われ始め、そうでない場合、擬似ワイヤ２４の確立は失敗し、ＣＥＳは使用不能のままになる。
【００３７】
本発明の本実施形態は、ＴＤＭ擬似ワイヤに関して説明されている。しかし、本発明の実施形態はＴＤＭ擬似ワイヤに限定されないことを理解されたい。本発明の実施形態は、動的に構成されたセグメントおよび静的に構成されたセグメントをもつトンネルを介して２つのＰＥシステムの間に任意のタイプの擬似ワイヤを動的に確立するために用いられることができる。
【００３８】
図２を参照すると、ＰＳＮ内の２つのＰＥシステムの間に擬似ワイヤを確立する方法１００が擬似ワイヤのトンネルに沿った中間システムで実行される。この方法の実行は、中間システムがトンネルの静的に構成されたセグメントと動的に構成されたセグメントの間の接点にあることに応答する。中間システムは方法１００の開始１０２で始まり、トンネルを介して第１のＰＥシステムからメッセージを受信するステップ１０４に進む。中間システムは、動的に構成されたセグメントを介してメッセージを受信する。次に中間システムは、メッセージへの応答を起動するステップ１０６に進み、その応答は擬似ワイヤを確立するためのパラメータを含む。中間ノードは次に、トンネルの動的に構成されたセグメントを介して第１のＰＥシステムに応答を送信するステップ１０８に進む。応答を受信するとすぐに、第１のＰＥセグメントはそのパラメータを局所的に格納されたパラメータと比較し、パラメータが相互に一致した結果として、擬似ワイヤの確立を完了する。
【００３９】
特許請求の範囲に定義される本発明の範囲を逸脱することなく、前述の本発明の実施形態への多数の修正、変更および適用が行われ得る。
【図１】
2011528524.tif 000003
【図２】
2011528524.tif 000004
【国際調査報告】
2011528524.tif 000005
2011528524.tif 000006